(57)【要約】      （修正有）【課題】ロッカの扉をこじ開けようとした場合における解錠を確実に防止する。【解決手段】フレーム２，４に支軸５で回動自在に支持され、扉側のフック１５に係合するロックプレート６と、ロックプレートの解錠方向の回動を阻止するストッパアーム８と、ストッパアームを解錠方向に駆動する手段９，３とを備える錠装置１において、ロックプレート６が扉のこじ開け方向に移動した際に、ロックプレートの凸部１４又は凹部がフレーム側の凹部１８又は凸部に係合して、ロックプレートの解錠方向への回動を阻止するようにした。施錠状態におけるロックプレート６の前端６ａに凸部１４又は凹部を設け、凸部又は凹部に対向してフレームの前板部２ｂに凹部１８又は凸部を設けた。支軸５を弾性部材８２の付勢に抗して扉のこじ開け方向にスライド可能とした。【選択図】図２
2005240459.tif 000002
【特許請求の範囲】
【請求項１】
フレームに支軸で回動自在に支持され、扉側のフックに係合するロックプレートと、該ロックプレートの解錠方向の回動を阻止するストッパアームと、該ストッパアームを解錠方向に駆動する手段とを備える錠装置において、
前記ロックプレートが前記扉のこじ開け方向に移動した際に、該ロックプレートの凸部又は凹部が前記フレーム側の凹部又は凸部に係合して、該ロックプレートの解錠方向への回動が阻止されることを特徴とする防盗錠装置。
【請求項２】
施錠状態における前記ロックプレートの前端に前記凸部又は凹部が設けられ、該凸部又は凹部に対向して前記フレームの前板部に前記凹部又は凸部が設けられたことを特徴とする請求項１記載の防盗錠装置。
【請求項３】
前記支軸が弾性部材の付勢に抗して前記扉のこじ開け方向にスライド可能であることを特徴とする請求項１又は２記載の防盗錠装置。
【発明の詳細な説明】
【技術分野】
【０００１】
本発明は、コインロッカ等の扉をこじって無理矢理解錠させようとする行為に対して耐盗難性を強化した防盗錠装置に関するものである。
【背景技術】
【０００２】
図４〜図５は従来の錠装置の一形態を示すものである（例えば特許文献１参照）。
【０００３】
この錠装置５１は、扉側のフック５２を引っ掛けて施錠させる回動式のロックプレート５３と、ロックプレート５３を解錠方向に付勢する捩り巻きばね５４と、ロックプレート５３の解錠方向への回動を阻止するストッパアーム５５と、ストッパアーム５５を解錠方向に回動させる駆動レバー５６と、駆動レバー５６を施錠又は解錠方向へ付勢する電気式のソレノイド５７とを備えるものである。
【０００４】
ストッパアーム５５と駆動レバー５６とはベースプレート５８に同一の支軸５９で回動自在に支持され、捩り巻きばね６０でロックプレート寄りの突部６１，６２同士が当接するまで開き方向に付勢されている。ロックプレート５３はフック５２に対する係合用の切欠孔６３と、反対側のストッパアーム５５に対する当接用の段部６４とを有して、支軸６５でベースプレート５８に回動自在に支持されている。
【０００５】
駆動レバー５６は突部６２とは反対側の部分をソレノイド５７のプランジャ６６に連結され、プランジャ６６はコイルばね６７で突出方向に付勢されている。図４でプランジャ６６は内部コイルの励磁により引き込まれ、ストッパアーム５５はロックプレート５３の解錠方向の回動を阻止して施錠状態を保っている。ロックプレート５３の施錠状態はマイクロスイッチ６８で検知されている。
【０００６】
この施錠状態から例えば図６の如くロッカ６９の使用者がテンキー７０で暗証番号を入力することで、図５の如くプランジャ６６が突出し、駆動レバー５６がストッパアーム５５と共に回動し、ストッパアーム５５とロックプレート５３との当接が解除され、ロックプレート５３が捩り巻きばね５４の力で回動し、フック５２との係合が解除されて解錠状態となる。
【０００７】
図６で、符号７１は扉７２の取っ手、７３はフック５２が進入するスリット状の開口で、開口内にロックプレート５３（図４）が位置する。開口７３は、ロッカ６９の収納室の側壁７４と直交する幅狭の前壁（扉７２が当接する壁部）７５に設けられ、前壁７５と側壁７４とで囲まれた空間内に錠装置５１が収容されている。
【特許文献１】特許第３４４３２１２号公報（第３〜４頁、図７〜図８，図１１）
【発明の開示】
【発明が解決しようとする課題】
【０００８】
しかしながら、上記従来の錠装置５１にあっては、フック５２を抱え込むロックプレート５３と、フック５２を施錠位置で固定するストッパアーム５５との強度によって防盗性能が決まるために、防盗性能（解錠させないようにする強度）に限界があり、盗難犯がロッカの扉をバール等で開き方向に強くこじることで、扉のフック５２でロックプレート５３を無理矢理解錠方向に回動させて扉を開けてしまうという懸念があった。
【０００９】
本発明は、上記した点に鑑み、盗難犯が扉をこじっても解錠することのない防盗錠装置を提供することを目的とする。
【課題を解決するための手段】
【００１０】
上記目的を達成するために、本発明の請求項１に係る防盗錠装置は、フレームに支軸で回動自在に支持され、扉側のフックに係合するロックプレートと、該ロックプレートの解錠方向の回動を阻止するストッパアームと、該ストッパアームを解錠方向に駆動する手段とを備える錠装置において、前記ロックプレートが前記扉のこじ開け方向に移動した際に、該ロックプレートの凸部又は凹部が前記フレーム側の凹部又は凸部に係合して、該ロックプレートの解錠方向への回動が阻止されることを特徴とする。
【００１１】
上記構成により、盗難犯が扉をこじ開けようとした際に、扉のフックでロックプレートがこじ開け方向に強く引っ張られて前方へ移動し、ロックプレートの例えば凸部がフレーム側の凹部に食い込むように進入係合する。これにより、ロックプレートの解錠方向への回動が強力に阻止される。ロックプレートの回動阻止力は、ストッパアームとロックプレートとの当接力と、凸部と凹部との係合力との総和となり、ロックプレートの解錠方向への回動が強力に阻止される。盗難防止のためにはロックプレートの支軸がこじ開け方向に曲がり変形してしまってもよい。
【００１２】
請求項２に係る防盗錠装置は、請求項１記載の防盗錠装置において、施錠状態における前記ロックプレートの前端に前記凸部又は凹部が設けられ、該凸部又は凹部に対向して前記フレームの前板部に前記凹部又は凸部が設けられたことを特徴とする。
【００１３】
上記構成により、扉のこじ開け方向が前方であり、扉のこじり時にロックプレートの前端の例えば凸部がフレームの前板部の例えば凹部に直に且つ確実に係合する。ロックプレートの例えば凸部とフレームの凹部との係合代も大きく規定される。ロックプレートの凸部又は凹部やフレームの凹部又は凸部の形成も容易である。
【００１４】
請求項３に係る防盗錠装置は、請求項１又は２記載の防盗錠装置において、前記支軸が弾性部材の付勢に抗して前記扉のこじ開け方向にスライド可能であることを特徴とする。
【００１５】
上記構成により、正常時においてロックプレートの支軸は弾性部材でこじ開け反対方向に弾性的に付勢され、ロックプレートは支軸を中心として回動自在である。扉のこじり時にロックプレートが支軸と一体的に弾性部材の付勢力に抗してこじり方向に移動し、ロックプレートの凸部又は凹部がフレーム側の凹部又は凸部に進入係合する。
【発明の効果】
【００１６】
請求項１記載の発明によれば、盗難犯による扉のこじり時にロックプレートの凸部又は凹部とフレームの凹部又は凸部との係合によってロックプレートの回動が阻止されて解錠が確実に防止されるから、ロッカ内の物品の盗難が確実に防止される。
【００１７】
請求項２記載の発明によれば、既存の錠装置に大きく手を加えることなく、簡単に且つ安価にロック機構を付加することができ、しかも凸部と凹部とが直ちに且つ確実に係合して、盗難が確実に防止される。
【００１８】
請求項３記載の発明によれば、扉のこじり時における支軸の曲がり変形を防止することができ、例えば錠装置の再使用が可能となる。
【発明を実施するための最良の形態】
【００１９】
図１〜図３は、本発明に係る防盗錠装置の一実施形態を示すものである。
【００２０】
図１の如く、この防盗錠装置１は、ベースプレート（フレーム）２に固定された電気式のソレノイド（駆動手段）３と、ベースプレート２とケース（フレーム）４との間に配置され、第一の支軸５で回動自在に支持されるロックプレート６と、第二の支軸７で回動自在に支持されるストッパアーム８と、第二の支軸７で回動自在に支持され、ソレノイド３で上下に回動される駆動レバー９とを備える錠装置において、ロックプレート６に回動（解錠）阻止用の突起（凸部）１４を設け、ベースプレート２に、突起１４に対する係合用の孔部（凹部）１８を設けたことを特徴とするものである。
【００２１】
ベースプレート２やロックプレート６、ストッパプレート８、駆動レバー９は金属材で形成されている。ソレノイド３やストッパアーム８、駆動レバー９の構造及び作用は従来と同様である。
【００２２】
ベースプレート２は垂直方向の幅広な側板部２ａと、側板部２ａの前端に直交する鍔状の前板部２ｂとを有し、側板部２ａに、ロッカ（図９参照）の内壁にねじで固定される固定部１２と、水平な各支軸５，７の一端部をねじ１３で抜け出しなく係止するための孔部１０，１１とが設けられ、前板部２ｂから側板部２ａにかけて扉のフック１５（図２）を進入させる水平な切欠孔１６が設けられ、切欠孔１６の上側において前板部２ｂに、ロックプレート６の回動防止用の突起１４に対する係合用の矩形状の小さな孔部１８が設けられている。
【００２３】
ロックプレート６の第一の支軸５に対するベースプレート２の側板部２ａの孔部１０は前後（水平）方向に長い長孔となっており、長孔１０に第一の支軸５の一端部が径方向スライド自在に係合し、その状態を保ったまま小ねじ１３で抜け出しなく係止される。
【００２４】
ベースプレート２に対向する合成樹脂製のケース４には、フック１５を進入させる切欠孔１７と、各支軸５，７の他端部を進入係合させるボス部３４，３５とが設けられ、第一の支軸５に対する長円形のボス部（軸受）３４には、ベースプレート側の長孔１０と同じ大きさ・形状・方向の長孔８１が設けられ、且つ長孔８１の前側に連通する円形の孔部内に小径のコイルばね８２（弾性部材）が配設され、コイルばね８２の後端部が長孔８１内に突出して位置し、長孔８１に径方向スライド自在に係合した第一の支軸５の端部がコイルばね８２で後方すなわちロックプレート６の突起１４とは反対側の方向に付勢される。
【００２５】
ベースプレート２の前半側にロックプレート６が配置され、ベースプレート２のほぼ中央でストッパアーム８がロックプレート６に隣接して上向きに配置され、ベースプレート２の後半側にソレノイド３が下向きに配置される。
【００２６】
ロックプレート６は、前側に扉のフック１５（図２）を係合させる下向き湾曲形状の切欠孔１９を有すると共に、切欠孔１９の前側に隣接する引っ掛け部８３の前端に回動阻止用の突起１４を有し、中間に第一の支軸５を挿通させる円形の孔部２５を有し、後側にストッパアーム８の突板部２０を当接させる段部（当接部）２１を有して、第一の捩り巻きばね（弾性部材）２２で解錠方向（図１で時計方向）に付勢される。
【００２７】
回動阻止用の突起１４は上向きの当接面１４ａと下向きの傾斜面１４ｂとを有して略三角形状に形成され、ロックプレート６の解錠位置で当接面２ａが水平に位置し、且つ突起１４がベースプレート６の係合用の孔部１８に対向して位置する。孔部８１を有する前板部２ｂはロックプレート６の前端６ａとの間に少しの隙間を存して位置する。
【００２８】
この隙間の大きさはベースプレート６やケース４の各長孔１０，８１の長さと同等ないしはそれらよりも若干小さく設定され、ロックプレート６が前向き（扉方向）の力を受けた際に、第一の支軸５が長孔１０，８１内をスライドし、ロックプレート６の前端面６ａがベースプレート２の前板部２ｂに当接し、それと同時に回動阻止用の突起１４が前板部２ｂの孔部１８に進入係合して、ロックプレート６の解錠方向の回動が阻止されるようになっている。
【００２９】
ロックプレート６を解錠方向に付勢する捩り巻きばね２２はコイル巻き部の両端にアーム２２ａ，２２ｂを突出させたもので、一方のアーム２２ａはベースプレート２の小孔２３に係止され、他方のアーム２２ｂはロックプレート６の小孔２４に係止される。
【００３０】
ロックプレート６の解錠方向の回動を阻止するストッパアーム８は下端側に第二の支軸７に係合する孔部２６を有し、上端に折曲された突片２７を有し、ロックプレート寄りの前端に折曲された突板部２０を有し、突板部２０の上端２０ａがロックプレート６に対する当接用の段部となっている。第二の支軸７に第二の捩り巻きばね（弾性部材）２８が装着され、捩り巻きばね２８の一方のアーム２８ａはストッパアーム８の後端側に係止され、他方のアーム２８ｂは駆動レバー９の中間の小孔２９に係止される。
【００３１】
駆動レバー９は後半側にソレノイド３のプランジャ３０に連結される切欠孔３１を有し、前半側に第二の支軸７に対する挿通孔３２と、ストッパアーム８の突板部２０の前端面２０ｂに当接する突出部３３とを有し、突出部３３はプランジャ３０の突出動作で捩り巻きばね２８の力に抗して突板部２０をロック解除方向に押圧する。
【００３２】
以下に図２〜図３を用いて上記盗防錠装置１の作用を説明する。
【００３３】
図２（ａ）は盗防錠装置１の正常時の施錠状態を示す側面図、図２（ｂ）は同じく施錠状態を示す正面図である。図２（ａ）〜図３は図１とは左右逆に示されているが、図１と同様に扉側を前として説明する。図３における正面図は図２（ｂ）と同様であるので図示を省略する。
【００３４】
図２（ａ）（ｂ）において、符号２はベースプレート、４はケース、６はロックプレート、１６，１７はベースプレート２とケース４の各切欠孔、８２はロックプレート６を付勢するケース側のコイルばねをそれぞれ示している。ケース４はベースプレート２に接合固定され、ベースプレート２は固定部１２でロッカ側に固定されている。
【００３５】
図２（ａ）の如く、ロックプレート６は前端側の切欠孔１９で扉側のフック１５に係合し、ロックプレート６の後端側の段部２１にストッパアーム８の突板部２０の上端（段部）２０ａが当接することで、第一の捩り巻きばね２２によるロックプレート６の解錠方向の回動を阻止している。ストッパアーム８は第二の捩り巻きばね２８でロックプレート６に向けて施錠方向に付勢されている。駆動レバー９はソレノイド３でプランジャ３０の引き込み方向に引き上げられている。
【００３６】
ロックプレート６の前端６ａはベースプレート２の垂直な前板部２ｂに近接して位置し、ロックプレート前端の回動阻止用の突起１４は前板部２ｂの係合用の孔部１８に僅かの距離を存して近接し、対向して位置している。ロックプレート６の支軸５はケース内の前側のコイルばね８２で後向きに付勢され、ケース４の軸受３４の長孔８１及びベースプレート２の長孔１０（図１）の各後端部に位置している。
【００３７】
ベースプレート２やケース４には上下二つのマイクロスイッチ３６，３７が設けられ、上側のスイッチ３６はストッパアーム８の先端の突片部２７に接し、下側のスイッチ３７はロックプレート６の下端に接している。二つのスイッチ３６，３７により施解錠が検知され、その信号が制御部に送られる。スイッチ３６，３７の構成作用は従来と同じである。
【００３８】
図３は、図２の施錠状態において盗難犯がバール等でロッカの扉をこじって開けようとした状態を示すものである。
【００３９】
扉を開け方向にこじることで、扉のフック１５が矢印Ａの如くロックプレート６を前向きに強く引っ張り、ロックプレート６の支軸５がコイルばね８２の付勢に抗して長孔１０，８１内を前方に移動し、支軸５と一体にロックプレート６が前方に移動し、ロックプレート６の回動阻止用の突起１４がベースプレート２の前板部２ｂの孔部１８に進入係合する。すなわち、こじ開け方向の強い引っ張り力でロックプレート６がベースプレート２に食い込んで解錠方向に全く動けなくなくなる。
【００４０】
このように、ロックプレート６の解錠方向の回動が阻止され、ストッパアーム８とロックプレート６との当接によるロック力に加えて、回動阻止用の突起１４と孔部１８との係合力（ロック力）によって、ロックプレート６の解錠方向への回動が強力に阻止される。
【００４１】
すなわち、孔部１８すなわちベースプレート２の前板部２ｂがロックプレート６の回動力を受け止め、且つストッパアーム８の段部２０ａとロックプレート６の段部２１との当接によってもロックプレート６の回動を阻止するから、ロックプレート６の解錠方向の回動が強力に阻止され、ロックプレート６とフック１５との係合が維持され、扉のこじ開けが確実に防止される。
【００４２】
ベースプレート２やロックプレート６、ストッパアーム８、支軸５等はそれぞれ金属材で形成されているから、ロックプレート６の突起１４とベースプレート２の孔部１８、及びロックプレート６の段部２０ａとストッパアーム８の段部２１という二箇所のロック動作によって十分な盗防強度が確保される。
【００４３】
図２（ａ）の正常時におけるストッパアーム８の段部２０ａとロックプレート６の段部２１との水平方向の当接代は、ロックプレート６の前端６ａとベースプレート２の前板部２ｂとの距離（隙間）よりも大きく設定されており、図３のこじり時にストッパアーム８の段部２０ａとロックプレート６の段部２１との当接が確保されている。たとえ扉のこじり時にストッパアーム８とロックプレート６との当接が解除されてしまっても、突起１４と孔部１８との係合によってロックプレート６の十分な回動阻止力すなわち盗難防止力が得られる。
【００４４】
また、扉のこじ開け時にロックプレート６の前側の引っ掛け部８３がたとえフック引張方向（Ａ方向）に変形した場合でも、回動阻止用の突起１４は引っ掛け部８３の上側すなわち切欠孔１９よりもやや上側に設けられているから、突起１４が孔部１８から外れる心配はない。また、引っ掛け部８３がフック引っ張り方向に変形しても、引っ掛け部８３がベースプレート２の前板部２ｂに当接してそれ以上の変形が阻止されるから、引っ掛け部８３からのフック１５の外れが生じる心配はない。
【００４５】
なお、上記実施形態においては、ロックプレート６の支軸５を長孔１０，８１に沿って前後にスライド自在としたが、支軸５を長孔ではなく支軸５とほぼ同径の円形の孔部に係合させ、扉のこじり時に支軸５を曲げ方向に永久変形させつつ、ロックプレート６を孔部１８に向けて前進させるようにすることも可能である。
【００４６】
この場合は、支軸５の変形によって錠装置自体は壊れることになるが、ロッカ内の荷物等を盗まれるという被害は防止される。このように、支軸５を従来同様の支持構造とし、ロックプレート６の回動阻止用の突起１４とベースプレート６の係合用の孔部１８のみの構造でも十部に盗難防止を図ることができる。
【００４７】
また、ロックプレート６の支軸５を金属材ではなく高強度のカーボンや樹脂材といった可撓性の材料で形成して、扉のこじり時に軸部を屈曲させ、こじりを止めた時点で再使用可能な形状に復元させることも可能である。
【００４８】
また、上記実施形態においては、ロックプレート６に突起（凸部）１４を一体に形成し、ベースプレート２に孔部（凹部）１８を形成したが、これとは逆に、ロックプレート６に切欠孔ないし溝部（凹部）を形成し、ベースプレート２の前板部２ｂに凸部を打ち出しや切り起こし等によって形成することも可能である。また、ベースプレート２の孔部１８に代えて溝部（凹部）を設けることも可能である。また、ベースプレート２に凹部又は凸部を設ける代わりに、合成樹脂製のケース４の高強度の厚肉部分に凹部又は凸部を設けるようにすることも可能である。
【００４９】
また、これら凸部や凹部の配設位置をロックプレート６の前端とベースプレート２の前板部２ｂではなく、例えばロックプレート６の上端又は下端等と、ベースプレート２の側板部２ａとに配置したり、あるいはロックプレート６の幅広の側面とベースプレート２の側板部２ａとに配置したりすることも可能である。但しこの場合は、ロック構造が少し複雑になる懸念はある。
【００５０】
また、ロックプレート６の支軸５を圧縮コイルばね８２に代えて引張コイルばね又は板ばね又はゴムといった弾性部材で扉こじ開け反対方向に付勢することも可能である。また、支軸５を長孔１０，８１ではなく例えば一端を開放した長形の切欠孔等に係合させることも可能である。
【００５１】
また、上記実施形態においては、駆動手段としてソレノイド３を用いたが、ソレノイド３に代えて、駆動レバー９の基端部９ａ（図２）をモータやラックピニオン等で駆動したり、あるいは機械的に他のレバー等と連動させて駆動レバー９を回動させる錠装置においても上記盗防機構を適用することが可能である。
【００５２】
また、上記盗防錠装置１は、駅や各種スポーツ施設等のコインロッカやマンション等の宅配用ロッカ等として適用するべく、ロックプレート６やソレノイド３を垂直に配置し、扉側のフック１５を水平に進退させたが、盗防錠装置１の配置方向はこれに限るものではなく、例えばロックプレート６やストッパアーム８を水平に配置したりすることも可能である。
【００５３】
また、第一，第二の捩り巻きばね２２，２８に代えて板ばねや圧縮ないし引張コイルばねやゴム部材といった弾性部材を用いることも可能である。
【００５４】
また、上記実施形態においては、第二の支軸７でストッパアーム８と駆動レバー９とを同時に支持させているが、ストッパアーム８と駆動レバー９とをそれぞれ異なる支軸で支持させることも可能である。
【００５５】
また、ロックプレート６やストッパアーム８や駆動レバー９等の形状は必要に応じて設計的に適宜変更可能である。また、ソレノイド３の向きや駆動方法（駆動レバー９の回動をプランジャ３０の突出動作で行わせるか、引き込み動作で行わせるか等）も必要に応じて適宜変更可能である。
【００５６】
また、駆動レバー９ではなく他のストッパ解除アーム（図示せず）と第三のばね部材（図示せず）とを付加してストッパアーム８の解錠方向への回動（駆動）を行わせるようにした錠装置においても、上記凸部と凹部によるロック機構を適用可能である。
【図面の簡単な説明】
【００５７】
【図１】本発明に係る盗防錠装置の一実施形態を示す分解斜視図である。
【図２】（ａ）は盗防錠装置の施錠状態（内部構造）を示す側面図、（ｂ）は同じく盗防錠装置の正面図である。
【図３】施錠時の扉にこじ開け方向の力が作用した状態を示す側面図である。
【図４】従来の扉用錠装置の一形態の施錠状態を示す側面図である。
【図５】従来の扉用錠装置の解錠状態を示す側面図である。
【図６】扉用錠装置を備えるロッカの一形態を示す斜視図である。
【符号の説明】
【００５８】
１    防盗錠装置
２    ベースプレート（フレーム）
２ｂ  前板部
４    ケース（フレーム）
５    第一の支軸（支軸）
６    ロックプレート
６ａ  前端
８    ストッパアーム
９    駆動レバー
１４  突起（凸部）
１５  フック
１８  孔部（凹部）
８２  コイルばね（弾性部材）
【図１】
2005240459.tif 000003
【図２】
2005240459.tif 000004
【図３】
2005240459.tif 000005
【図４】
2005240459.tif 000006
【図５】
2005240459.tif 000007
【図６】
2005240459.tif 000008